(57)【要約】【課題】音声通信及びデータ通信を行う端末装置（ＰＳ）と、音声通信及びデータ通信を中継する中継装置（ＭＣＰ）と、中継装置を介して端末装置とデータ通信を行うデータ通信装置（サーバ）を有する通信システムで、効率化を図る。【解決手段】中継装置は、端末装置がデータ通信中であるときに端末装置に音声通信の着信があった場合にはその旨をデータ通信装置に対して通知する。データ通信装置は、当該通知を受けた場合には端末装置との間で行っているデータ通信において端末装置に対する後続するデータ送信に割り込みを発生させて端末装置に対して着信を通知するためのデータを送信する。端末装置は、データ通信装置から受信される当該データに基づく着信通知をユーザに対して行う。【選択図】      図４
2005057320.tif 000002
【特許請求の範囲】
【請求項１】
音声通信を行う機能及びデータ通信を行う機能を備えた端末装置と、音声通信及びデータ通信を中継する中継装置と、端末装置との間で中継装置を介してデータ通信を行うデータ通信装置とを有する通信システムにおいて、
中継装置は、端末装置がデータ通信中であるときに当該端末装置に音声通信の着信があった場合にはその旨をデータ通信装置に対して通知するデータ通信中音声通信着信通知手段を備え、
データ通信装置は、中継装置のデータ通信中音声通信着信通知手段による通知を受けた場合には端末装置との間で行っているデータ通信において当該端末装置に対する後続するデータ送信に割り込みを発生させて当該端末装置に対して着信を通知するためのデータを送信する着信通知データ割り込み送信手段を備え、
端末装置は、データ通信装置の着信通知データ割り込み送信手段から受信される着信を通知するためのデータに基づく着信通知をユーザに対して行う割り込み着信通知手段を備えた、
ことを特徴とする通信システム。
【請求項２】
音声通信を行う機能及びデータ通信を行う機能を備えた端末装置と、音声通信及びデータ通信を中継する中継装置と、端末装置との間で中継装置を介してデータ通信を行うデータ通信装置とを有する通信システムにおいて、
中継装置は、端末装置がデータ通信中であるときに当該端末装置に音声通信の着信があった場合には当該端末装置とデータ通信装置との間で行われているデータ通信を中止させるデータ通信中止手段と、
データ通信中止手段により端末装置によるデータ通信が中止させられた後に当該端末装置により前記着信に係る音声通信を行わせる音声通信制御手段と、
を備えたことを特徴とする通信システム。
【発明の詳細な説明】
【０００１】
【発明の属する技術分野】
本発明は、音声通信を行う機能及びデータ通信を行う機能を備えた端末装置と、音声通信及びデータ通信を中継する中継装置と、端末装置との間で中継装置を介してデータ通信を行うデータ通信装置とを有する通信システムに関し、特に、端末装置がデータ通信中であるときに当該端末装置に音声通信の着信があった場合にその旨を当該端末装置のユーザに通知するための技術や、端末装置がデータ通信中であるときに当該端末装置に音声通信の着信があった場合に当該データ通信を中止させて当該端末装置により当該着信に係る音声通信を行わせるための技術に関する。
【０００２】
【従来の技術】
例えば、簡易型携帯電話システム（ＰＨＳ：Ｐｅｒｓｏｎａｌ  Ｈａｎｄｙｐｈｏｎｅ  Ｓｙｓｔｅｍ）の端末装置（ＰＳ：Ｐｅｒｓｏｎａｌ  Ｓｔａｔｉｏｎ）であるＰＨＳ端末装置は、音声通話用として使用されるとともに、ＰＩＡＦＳ（ＰＨＳ  Ｉｎｔｅｒｎｅｔ  Ａｃｃｅｓｓ  Ｆｏｒｕｍ  Ｓｔａｎｄａｒｄ）接続によりＰＢＸ（Ｐｒｉｖａｔｅ  Ｂｒａｎｃｈ  Ｅｘｃｈａｎｇｅ）等の交換機の先にあるサーバＰＣ（Ｐｅｒｓｏｎａｌ  Ｃｏｍｐｕｔｅｒ）と接続させられて、データ通信端末として兼用されることも多い。
【０００３】
従来では、ＰＨＳ端末装置が音声通話とデータ通信とで併用される場合、ＰＨＳ端末装置によるデータ通信中は「通話中」として扱われていた。このため、データ通信中であるＰＨＳ端末装置へ緊急の電話をかけようとしても、話中音（ＢＴ：Ｂｕｓｙ  Ｔｏｎｅ）が聞こえる状態となってしまい、連絡を取ることができなかった。また、ＰＨＳ端末装置によるデータ通信中は、いわゆるキャッチホンも無効であるため、連絡を取ることができなかった。
なお、従来では、ＰＨＳ端末装置によるデータ通信中に音声着信があったときについて検討が為されていた（例えば、特許文献１参照。）。
【０００４】
【特許文献１】
特開２００２−６４８６７号公報
【０００５】
【発明が解決しようとする課題】
しかしながら、従来では、ＰＨＳ端末装置がデータ通信中であるときに当該ＰＨＳ端末装置に音声通信の着信があった場合における通信システム上の処理について未だに不十分な点があり、更なる開発が要求されていた。特に、ＰＨＳ端末装置やＰＢＸやサーバＰＣを有する通信システムにおいて、ＰＨＳ端末装置がデータ通信中であるときに当該ＰＨＳ端末装置に音声通信の着信があった場合に、どのような手順により処理を行うかについて検討が必要であった。
【０００６】
本発明は、このような従来の課題を解決するために為されたもので、音声通信を行う機能及びデータ通信を行う機能を備えた端末装置と、音声通信及びデータ通信を中継する中継装置と、端末装置との間で中継装置を介してデータ通信を行うデータ通信装置とを有した構成において、端末装置がデータ通信中であるときに当該端末装置に音声通信の着信があった場合に、その旨を当該端末装置のユーザに通知することや、或いは、当該データ通信を中止させて当該端末装置により当該着信に係る音声通信を行わせることを、効率的に実現する通信システムを提供することを目的とする。
【０００７】
【課題を解決するための手段】
（１）本発明に係る第１の構成例を説明する。
上記目的を達成するため、本発明に係る通信システムでは、音声通信を行う機能及びデータ通信を行う機能を備えた端末装置と、音声通信及びデータ通信を中継する中継装置と、端末装置との間で中継装置を介してデータ通信を行うデータ通信装置とを有する構成において、次のような処理を行う。
【０００８】
すなわち、中継装置では、データ通信中音声通信着信通知手段が、端末装置がデータ通信中であるときに当該端末装置に音声通信の着信があった場合には、その旨（つまり、端末装置がデータ通信中であるときに当該端末装置に音声通信の着信があった旨）をデータ通信装置に対して通知する。
また、データ通信装置では、着信通知データ割り込み送信手段が、中継装置のデータ通信中音声通信着信通知手段による通知を受けた場合には、端末装置との間で行っているデータ通信において、当該端末装置に対する後続するデータ送信に割り込みを発生させて、当該端末装置に対して着信を通知するためのデータを送信する。
そして、端末装置では、割り込み着信通知手段が、データ通信装置の着信通知データ割り込み送信手段から受信される着信を通知するためのデータに基づく着信通知をユーザに対して行う。
【０００９】
従って、上記のような通信システム上における処理の手順により、端末装置がデータ通信中であるときに当該端末装置に音声通信の着信があった場合にその旨を当該端末装置のユーザに通知することを、効率的に実現することができる。
【００１０】
ここで、音声通信としては、例えば、電話の音声を通信するようなものが用いられ、例えば、リアルタイムで通話するようなものが用いられる。
また、データ通信としては、例えば、テキストデータや画像データや音声データを通信するようなものが用いられる。
【００１１】
また、中継装置のデータ通信中音声通信着信通知手段は、例えば、端末装置がデータ通信中であるときに当該端末装置に音声通信の着信があった旨を示す情報をデータ通信装置に対して送信することにより、その旨をデータ通信装置に対して通知する。
【００１２】
また、データ通信装置の着信通知データ割り込み送信手段により、端末装置との間で行っているデータ通信において当該端末装置に対する後続するデータ送信に割り込みを発生させる態様としては、種々な態様が用いられてもよい。
例えば、割り込みを発生させるタイミングとしては、特に限定はなく、一例として、中継装置のデータ通信中音声通信着信通知手段による通知を受けた後における最初のデータ送信に割り込みを発生させる態様を用いることができる。一構成例として、データ通信装置の着信通知データ割り込み送信手段は、端末装置との間で行っているデータ通信において当該端末装置に対する次のデータ送信に割り込みを発生させて当該端末装置に対して着信を通知するためのデータを送信する。
また、例えば、割り込みを発生させる回数としては、特に限定はなく、１回が用いられてもよく、或いは、２回以上が用いられてもよい。
【００１３】
また、データ通信装置の着信通知データ割り込み送信手段により送信する、端末装置に対して着信を通知するためのデータとしては、種々なデータが用いられてもよい。
また、端末装置の割り込み着信通知手段により行う、着信を通知するためのデータに基づく着信通知としては、種々なものが用いられてもよく、例えば、画面表示により通知を行うものや、音出力により通知を行うものや、振動発生により通知を行うものなどを用いることができる。また、着信を通知するためのデータに基づく着信通知では、例えば、当該データがそのまま出力されてもよく、或いは、当該データが加工されて出力されてもよく、或いは、当該データにより制御された結果が出力されてもよい。
【００１４】
（２）本発明に係る第２の構成例を説明する。
上記目的を達成するため、本発明に係る通信システムでは、音声通信を行う機能及びデータ通信を行う機能を備えた端末装置と、音声通信及びデータ通信を中継する中継装置と、端末装置との間で中継装置を介してデータ通信を行うデータ通信装置とを有する構成において、次のような処理を行う。
すなわち、中継装置では、データ通信中止手段が、端末装置がデータ通信中であるときに当該端末装置に音声通信の着信があった場合には、当該端末装置とデータ通信装置との間で行われているデータ通信を中止させ、そして、音声通信制御手段が、データ通信中止手段により端末装置によるデータ通信が中止させられた後に、当該端末装置により前記着信に係る音声通信を行わせる。
【００１５】
従って、上記のような通信システム上における処理の手順により、端末装置がデータ通信中であるときに当該端末装置に音声通信の着信があった場合に当該データ通信を中止させて当該端末装置により当該着信に係る音声通信を行わせることを、効率的に実現することができる。
【００１６】
ここで、中継装置のデータ通信中止手段により、端末装置とデータ通信装置との間で行われているデータ通信を中止させる態様としては、種々な態様が用いられてもよく、例えば、端末装置によるデータ通信を中止させる処理及びデータ通信装置によるデータ通信を中止させる処理を行うような態様を用いることができる。
【００１７】
また、中継装置の音声通信制御手段により、端末装置によるデータ通信が中止させられた後に当該端末装置により着信に係る音声通信を行わせるタイミングとしては、種々なタイミングが用いられてもよく、例えば、早いタイミングが用いられるのが好ましい。
【００１８】
一構成例として、中継装置のデータ通信中止手段は、端末装置によるデータ通信を中止させるに際して、当該端末装置に対して、当該端末装置がデータ通信中であるときに当該端末装置に音声通信の着信があった旨を通知する。また、一構成例として、端末装置は、中継装置のデータ通信中止手段による当該通知を受けた場合にはデータ通信の切断の直後に（つまり、他の処理を行わずに）待ち受け状態へ移行する待ち受け状態移行制御手段を備えた。
【００１９】
従って、端末装置では、データ通信の切断の直後に待ち受け状態へ移行して着信に係る音声通信を開始することが可能となるため、例えばローカルＢＴ（Ｂｕｓｙ  Ｔｏｎｅ）を流すような通常の場合と比較して、早いタイミングで着信に係る音声通信を行うことが可能である。
【００２０】
ここで、中継装置のデータ通信中止手段は、例えば、端末装置がデータ通信中であるときに当該端末装置に音声通信の着信があった旨を示す情報を当該端末装置に対して送信することにより、その旨を端末装置に対して通知する。
【００２１】
（３）上記した本発明に係る第１の構成例と上記した本発明に係る第２の構成例を組み合わせたような構成例を説明する。
本発明に係る通信システムでは、一構成例として、通信システムは、音声通信の発信元（発呼元）の装置に関する情報を着信先（着呼先）の装置に対して通知する発信元装置情報通知機能を有している。そして、端末装置がデータ通信中であるときに当該端末装置に音声通信の着信があった場合には、発信元装置情報通知機能がオンであるときには、例えば上記した本発明の第１の構成例と同様に、当該データ通信を継続させて当該着信に係る着信通知を当該端末装置により行わせる一方、発信元装置情報通知機能がオフであるときには、例えば上記した本発明の第２の構成例と同様に、当該データ通信を中止させて当該着信に係る音声通信を当該端末装置に行わせる。
【００２２】
従って、音声通信の発信元の装置に関する情報が着信先の装置に対して通知される場合（つまり、発信元装置情報通知機能がオンである場合）には、着信先の装置において、発信元の装置に関する情報が得られることから、データ通信を継続させて着信通知を行う一方、音声通信の発信元の装置に関する情報が着信先の装置に対して通知されない場合（つまり、発信元装置情報通知機能がオフである場合）には、着信先の装置において、発信元の装置に関する情報が得られないことから、データ通信を中止させて音声通信を行う。
【００２３】
ここで、音声通信の発信元の装置や、音声通信の着信先の装置としては、それぞれ、種々な装置が用いられてもよい。
また、発信元の装置に関する情報としては、種々な情報が用いられてもよく、例えば、発信元の装置を識別する情報を用いることができ、具体例として、発信元の装置の電話番号の情報などを用いることができる。
【００２４】
また、発信元装置情報通知機能は、例えば、音声通信の発信元の装置に関する情報を着信先の装置に対して送信することにより、当該情報を着信先の装置に対して通知する。
また、発信元装置情報通知機能としては、通信システムの種々なところに備えられてもよく、例えば、中継装置などの１つの装置に当該機能の全体が備えられてもよく、或いは、当該機能が複数に分散されてこれら複数の分散機能のそれぞれが複数の装置のそれぞれに備えられてもよい。
【００２５】
一構成例として、本発明に係る通信システムでは、装置の識別情報と当該装置の使用者に関する情報との対応を装置識別情報使用者情報対応記憶手段により記憶する。そして、発信元装置情報通知機能は、装置識別情報使用者情報対応記憶手段の記憶内容に基づいて、音声通信の発信元の装置の識別情報に対応する使用者に関する情報を着信先の装置に対して通知する。
【００２６】
ここで、装置の識別情報としては、種々な情報が用いられてもよい。
また、使用者に関する情報としては、種々な情報が用いられてもよく、例えば、使用者の氏の情報や名の情報などを用いることができる。
また、装置識別情報使用者情報対応記憶手段としては、通信システムの種々なところに備えられてもよい。
【００２７】
（４）以下で、更に、上記した本発明に係る第１、２、３の構成例に関して、他の構成例を説明する。
一構成例として、端末装置に対する音声通信の着信は、他の端末装置による発信によるものである。つまり、２又は３以上の端末装置の間で中継装置を介して音声通信が行われる。
【００２８】
一構成例として、端末装置とデータ通信装置との間のデータ通信では、端末装置はデータの取得要求をデータ通信装置に対して送信し、データ通信装置は端末装置からデータの取得要求を受信したことに応じて当該端末装置に対してデータを送信する。
ここで、データの取得要求としては、種々なものが用いられてもよい。
また、データの取得要求に応じてデータ通信装置から送信されるデータとしては、種々なものが用いられてもよく、例えば、データの取得要求の内容に対応した内容のデータが用いられる。
【００２９】
一構成例として、データ通信装置から端末装置に対して、端末装置の画面に表示させるためのデータ（表示データ）が送信される。
ここで、端末装置の画面としては、種々なものが用いられてもよい。
また、表示データとしては、例えば、端末装置の画面により表示するのに適した形式のデータが用いられる。
また、表示データによる表示内容としては、種々なものが用いられてもよく、例えば、テキストや画像を用いることができる。
なお、一構成例として、端末装置には、表示データ及び操作方法を含むアプリケーションが備えられない。
【００３０】
通信システムとしては、種々なものが用いられてもよく、例えば、音声通信とデータ通信との両方を行うものが用いられる。
また、通信システムとしては、例えば、有線の通信システムが用いられてもよく、或いは、無線の通信システムが用いられてもよく、或いは、有線の通信システムと無線の通信システムとの組み合わせが用いられてもよい。
【００３１】
また、端末装置や、中継装置や、データ通信装置としては、それぞれ、種々なものが用いられてもよい。
一例として、ＬＣＤ（Ｌｉｑｕｉｄ  Ｃｒｙｓｔａｌ  Ｄｉｓｐｌａｙ）のディスプレイなどのデータ表示画面を有した有線電話機などから端末装置を構成することも可能である。
【００３２】
一例として、簡易型携帯電話システム（ＰＨＳ）に適用される場合には、端末装置として移動端末装置（ＰＨＳ端末装置）を用いることができ、中継装置として交換機装置を用いることができ、データ通信装置としてサーバ装置を用いることができ、データ通信はＰＩＡＦＳを用いて行われる。
一構成例として、端末装置は、バーコード情報を読み取る機能を備えており、或いは、バーコード情報を読み取る機能と接続が可能である。
【００３３】
また、本発明に係る通信システムは、種々なシステムに適用することが可能であり、例えば、病院看護システム、荷物集配システム、商品管理システム、商品在庫管理システム、メール配信システム、会議室予約システム、掲示板システムなどに適用することも可能である。
【００３４】
一例として、病院看護システムでは、患者に付されたバーコードの情報を端末装置から病院看護用サーバ（データ通信装置）に対して送信し、病院看護用サーバ側が端末装置から受信されるバーコードの情報に基づいて薬などに関する情報を当該端末装置に対して送信することが可能である。また、端末装置が患者の体温や血圧等のデータを読み込んで病院看護用サーバへ送信し、病院看護用サーバ側がこれらのデータを管理することが可能である。また、端末装置が患者のリストバンド等のバーコード（患者バーコード）と処置に使用する薬品バーコードを読み込んで病院看護用サーバへ送信し、病院看護用サーバ側が受信情報をデータベース上で照合して正解（ＯＫ）であるか或いは誤り（ＮＧ）であるかを判定することが可能であり、これにより、投薬や処置時における患者と薬品などとの対応を確実化することができる。
【００３５】
同様に、一例として、荷物集配システムでは、端末装置と荷物集配用サーバ（データ通信装置）とがデータ通信を行うことにより、荷物に関して、受付日時や送信者の情報などを管理することなどが可能である。
また、必ずしもバーコードリーダを使用する方法に限らず、メールの配信や、会議室の予約や、掲示板への書き込みなど、サーバ側で用意するアプリケーションに応じて多岐なシステムに適用することが可能である。また、インターネット上で実現することが可能な種々なものに適用することが可能である。
【００３６】
【発明の実施の形態】
本発明に係る実施例を図面を参照して説明する。
まず、本実施例（第１、２、３実施例）に係る簡易型携帯電話（ＰＨＳ）の通信システムの概要を説明する。
図１には、本実施例に係る通信システムの構成例を示してある。
本実施例に係る通信システムには、複数のＰＨＳ端末装置（ＰＳ）Ａ１、Ａ２と、交換機装置（ＰＢＸ）１と、無線基地局アンテナ（ＢＳ）２と、ハブ（ＨＵＢ）３と、複数のサーバ装置Ｂ１、Ｂ２が備えられている。
【００３７】
また、交換機装置１には、複数のＢＳ制御インタフェースモジュール（ＢＳＩＦ）１１ａ、１１ｂと、複数のデータ通信制御インタフェースモジュール（ＤＩＦ）１２ａ、１２ｂと、呼制御などを行う中央処理モジュール（ＭＣＰ）１３が備えられている。
【００３８】
また、交換機装置１が有するＢＳ制御インタフェースモジュール１１ａと無線基地局アンテナ２とがケーブルを介して接続されており、交換機装置１が有する複数のデータ通信制御インタフェースモジュール１２ａ、１２ｂと複数のサーバ装置Ｂ１、Ｂ２がそれぞれハブ３と接続されている。また、無線基地局アンテナ２と各ＰＨＳ端末装置Ａ１、Ａ２とは無線により通信接続することが可能である。
【００３９】
各ＰＨＳ端末装置Ａ１、Ａ２は、無線移動端末装置であり、データ送信による画面情報取得型機能を有している。
交換機装置１は、各ＰＨＳ端末装置Ａ１、Ａ２を管理することなどを行う。
各サーバ装置Ｂ１、Ｂ２は、例えばパーソナルコンピュータ（ＰＣ）を用いて構成されており、アプリケーションサービスを行うアプリケーションサーバとして構成されており、具体的には、画面情報を通信する機能やデータベースを管理等する機能などを有している。各サーバ装置Ｂ１、Ｂ２は、各ＰＨＳ端末装置Ａ１、Ａ２に対して、画面情報取得型による接続サービスを提供する。
【００４０】
図２を参照して、本実施例に係る通信システムにより行われる通信接続動作の概要を説明する。
各ＰＨＳ端末装置Ａ１、Ａ２から各サーバ装置Ｂ１、Ｂ２への接続呼制御は、接続特番発呼によって行われる。交換機装置１の中央処理モジュール１３は、ＰＨＳ端末装置Ａ１、Ａ２から通知される接続特番により接続先となるサーバ装置Ｂ１、Ｂ２を判定し、データ通信制御インタフェースモジュール１２ａ、１２ｂを経由してＰＨＳ端末装置Ａ１、Ａ２とサーバ装置Ｂ１、Ｂ２との接続を行う。
【００４１】
なお、複数のサーバ装置Ｂ１、Ｂ２が備えられる場合、例えば、病院看護用サーバとしてのサーバ装置、荷物集配用サーバとしてのサーバ装置などといったように用途別のサーバ装置を用意することにより、同種のサーバ装置（例えば、同種のＰＣ）を種々な用途に使い分けることができる。
【００４２】
また、本実施例に係る通信システムでは、通話路の確立までの呼制御（ＪＴ−Ｑ９３１制御）を中央処理モジュール１３が行う。そして、通話路の確立後には、ＰＨＳ端末装置Ａ１、Ａ２とデータ通信制御インタフェースモジュール１２ａ、１２ｂとの間をＰＩＡＦＳにより接続し、データ通信制御インタフェースモジュール１２ａ、１２ｂとサーバ装置Ｂ１、Ｂ２との間をＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）或いはＵＤＰ（Ｕｓｅｒ  Ｄａｔａｇｒａｍ  Ｐｒｏｔｏｃｏｌ）／ＩＰにより接続する。
【００４３】
なお、ＪＴ−Ｑ９３１制御は、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）のユーザ網インタフェースに関するものであり、レイヤ３に対応するものである。
また、データ通信制御インタフェースモジュール１２ａ、１２ｂとサーバ装置Ｂ１、Ｂ２との間の接続で使用されるプロトコルとしては、一般的にはＴＣＰ／ＩＰが用いられるが、特に限定はなく、例えば、ＵＤＰ／ＩＰを用いて構築することも可能である。
【００４４】
このように、交換機装置１では、データ通信制御インタフェースモジュール１２ａ、１２ｂによりＰＩＡＦＳ接続を終端して、ＴＣＰ／ＩＰ或いはＵＤＰ／ＩＰへデータ変換することにより、ＰＨＳ端末装置Ａ１、Ａ２とサーバ装置Ｂ１、Ｂ２とを接続する。これにより、各ＰＨＳ端末装置Ａ１、Ａ２と各サーバ装置Ｂ１、Ｂ２とは、無線基地局アンテナ２や交換機装置１やハブ３を介して、接続される。
【００４５】
同図の例では、サーバ装置Ｂ１に“１９２．１６８．１．１”というＩＰアドレスが設けられており、サーバ装置Ｂ２に“１９２．１６８．１．２”というＩＰアドレスが設けられている。また、交換機装置１の中央処理モジュール１３には、“＃１２００”という接続特番と“１９２．１６８．１．１”というＩＰアドレスとの対応及び“＃１２０１”という接続特番と“１９２．１６８．１．２”というＩＰアドレスとの対応が記憶されている。そして、交換機装置１では、“＃１２００”という接続特番で発呼を行ったＰＨＳ端末装置Ａ１を対応するサーバ装置Ｂ１と接続させ、“＃１２０１”という接続特番で発呼を行ったＰＨＳ端末装置Ａ２を対応するサーバ装置Ｂ２と接続させる。
【００４６】
図３を参照して、ＰＨＳ端末装置Ａ１、Ａ２の画面情報取得型機能により行われる処理のシーケンスの一例を説明する。
本実施例に係る通信システムでは、ＰＨＳ端末装置Ａ１、Ａ２には、ＰＩＡＦＳ接続後における画面表示データや操作方法を含めたアプリケーションを備えていない。そして、ＰＨＳ端末装置Ａ１、Ａ２は、このようなアプリケーションを接続先のサーバ装置Ｂ１、Ｂ２から受け取ることにより、接続後の操作を実現する。
本実施例では、このようなＰＨＳ端末装置Ａ１、Ａ２の機能を、画面情報取得型機能と言っている。
【００４７】
また、本実施例に係るＰＨＳ端末装置Ａ１、Ａ２は、バーコードの情報を読み取るバーコードリード機能を内部或いは外部に備えている。
ここで、バーコードとしては、例えば、店の商品等に付されている一般的なバーコードと同様なものが用いられる。本実施例では、バーコードリーダと電話端末であるＰＨＳ端末装置Ａ１、Ａ２とが組み合わされたようなものを想定している。
【００４８】
ＰＨＳ端末装置Ａ１、Ａ２は、バーコードリーダとして使用される際には、商品等に付されているバーコードの情報を読み取ってサーバ装置Ｂ１、Ｂ２へ送信する。一方、サーバ装置Ｂ１、Ｂ２側は、ＰＨＳ端末装置Ａ１、Ａ２から受信されるバーコード情報を管理し、当該バーコード情報を商品の在庫管理などの種々な用途に使用することが可能である。
【００４９】
同図には、ＰＨＳ端末装置Ａ１、Ａ２によりバーコード情報を読み取り、当該バーコード情報に基づいてサーバ装置Ｂ１、Ｂ２からＰＨＳ端末装置Ａ１、Ａ２へデータを送信する処理のシーケンスの一例を示してある。
ＰＨＳ端末装置Ａ１、Ａ２とＢＳ制御インタフェースモジュール１１ａ、１１ｂと中央処理モジュール１３とデータ通信制御インタフェースモジュール１２ａ、１２ｂの間では、ＰＩＡＦＳ接続が行われる。また、データ通信制御インタフェースモジュール１２ａ、１２ｂとサーバ装置Ｂ１、Ｂ２との間では、例えばＴＣＰ／ＩＰ接続が行われる。
【００５０】
ここでは、ＰＨＳ端末装置Ａ１とサーバ装置Ｂ１との間でデータ通信が行われる場合を例として説明する。
（１）ＰＨＳ端末装置Ａ１は、ＰＩＡＦＳ接続及びＴＣＰ／ＩＰ接続を用いたデータ通信のリンクが確立されると、接続先となるサーバ装置Ｂ１に対して「表示データ取得要求」を表す電文信号を送信し、「表示データ」を有する電文信号の受信待ち状態へ遷移する。
【００５１】
（２）サーバ装置Ｂ１は、ＰＨＳ端末装置Ａ１から送信された「表示データ取得要求」を表す電文信号の受信によって、初期画面に該当する画面データを「表示データ１」として当該ＰＨＳ端末装置Ａ１に対して送信し、「表示データ取得成功（ＯＫ）」を表す電文信号の受信待ち状態へ遷移する。ここで、同図の例では、「表示データ１」として、「バーコードを読み取って下さい」という文面のテキストデータが用いられている。
【００５２】
なお、「表示データ」としては、ＰＨＳ端末装置Ａ１、Ａ２の画面上に表示する画面データが用いられる。
「表示データ」としては、例えば、「バーコードを読み取って下さい」というテキストデータや、「商品名：ＸＸ」というテキストデータなどのように、画面を構成するテキストデータを用いることが可能であるが、他の構成例として、端末の機能などに応じて、テキスト以外の画像や動画などのデータを用いることも可能である。また、「表示データ」としては、例えば、ＰＨＳ端末装置Ａ１、Ａ２を操作するユーザに対して表示する指示のデータや、表示する情報のデータなどが用いられる。
【００５３】
（３）ＰＨＳ端末装置Ａ１は、サーバ装置Ｂ１から「表示データ１」を有する電文信号を正常に受信すると、当該サーバ装置Ｂ１に対して「表示データ取得成功（ＯＫ）」を表す電文信号を送信するとともに、受信した「表示データ１」を画面に表示させ、ユーザからの操作入力待ち状態へ遷移する。
サーバ装置Ｂ１は、ＰＨＳ端末装置Ａ１から「表示データ取得成功（ＯＫ）」を表す電文信号を受信すると、「操作データ」を有する電文信号の受信待ち状態へ遷移する。
【００５４】
（４）ＰＨＳ端末装置Ａ１は、ユーザによる操作により当該ＰＨＳ端末装置にバーコード情報が入力されると、入力されたバーコード番号（バーコードＮｏ）のデータを「操作データ」としてサーバ装置Ｂ１に対して送信し、「操作データ受信成功（ＯＫ）」を表す電文信号の受信待ち状態へ遷移する。ここで、「操作データ」としては、例えば、商品等に付されているバーコード情報を読み込んだ結果のデータが用いられる。
【００５５】
（５）サーバ装置Ｂ１は、ＰＨＳ端末装置Ａ１から「操作データ」を有する電文信号を正常に受信すると、当該ＰＨＳ端末装置Ａ１に対して「操作データ受信成功（ＯＫ）」を表す電文信号を送信し、「表示データ取得要求」を表す電文信号の受信待ち状態へ遷移する。この際、サーバ装置Ｂ１は、当該サーバ装置Ｂ１が有するデータベースを検索し、ＰＨＳ端末装置Ａ１から受信したバーコードＮｏから「商品名」を割り出す処理を行う。
【００５６】
ここで、「商品名」としては、サーバ装置Ｂ１、Ｂ２側で管理している、バーコード情報（バーコードＮｏ）に対応する具体的な商品の名前を指している。
なお、必ずしも「商品名」に限られず、例えば、「製造年月日」や、「賞味期限」などの種々なデータが用いられてもよい。
【００５７】
（６）ＰＨＳ端末装置Ａ１は、再び、サーバ装置Ｂ１に対して「表示データ取得要求」を表す電文信号を送信し、「表示データ」を有する電文信号の受信待ち状態へ遷移する。
【００５８】
（７）サーバ装置Ｂ１は、ＰＨＳ端末装置Ａ１から送信された「表示データ取得要求」を表す電文信号の受信によって、データベース検索の結果に該当する画面データを「表示データ２」として当該ＰＨＳ端末装置Ａ１に対して送信し、「表示データ取得成功（ＯＫ）」を表す電文信号の受信待ち状態へ遷移する。ここで、同図の例では、「表示データ２」として、「商品名：ＸＸ」という文面のテキストデータが用いられている。
【００５９】
（８）ＰＨＳ端末装置Ａ１は、サーバ装置Ｂ１から「表示データ２」を有する電文信号を正常に受信すると、当該サーバ装置Ｂ１に対して「表示データ取得成功（ＯＫ）」を表す電文信号を送信するとともに、受信した「表示データ２」を画面に表示させ、ユーザからの操作入力待ち状態へ遷移する。
（９）以降においても、上記と同様な一連の動作の繰り返しにより、ＰＨＳ端末装置Ａ１とサーバ装置Ｂ１との間で通信が行われる。
【００６０】
次に、本発明の第１実施例に係る通信システムを説明する。
本例の通信システムでは、データ通信中のＰＨＳ端末装置Ａ１、Ａ２への着信があった場合に、当該着信を通知するメールを当該ＰＨＳ端末装置Ａ１、Ａ２へ送信する。
【００６１】
図４には、ＰＨＳ端末装置Ａ１、Ａ２によりバーコード情報を読み取る作業中に、当該ＰＨＳ端末装置Ａ１、Ａ２に電話通信等の割り込みが入った場合における処理のシーケンスの一例を示してある。
ここでは、ＰＨＳ端末装置Ａ１とサーバ装置Ｂ１との間でデータ通信が行われる場合を例として説明する。
また、ＰＨＳ端末装置（ＰＳ１）Ａ１の識別番号が“７０００”であるとし、ＰＨＳ端末装置（ＰＳ２）Ａ２の識別番号が“７００１”であるとする。
【００６２】
また、上記図３を参照して説明した通常時（つまり、割り込みが入らないとき）の処理については詳しい説明を省略し、割り込みに係る処理について詳しく説明する。
（１）サーバ装置Ｂ１との間でデータ通信中であるＰＨＳ端末装置Ａ１に対して他のＰＨＳ端末装置Ａ２から音声着信が発生すると、交換機装置１の中央処理モジュール１３は、当該他のＰＨＳ端末装置Ａ２に対して話中音（ＢＴ）又は「発呼先はデータ通信中であるため着信をメール通知しました」等の通知トーキーを流して、当該他のＰＨＳ端末装置Ａ２からの呼を切断する。
【００６３】
（２）交換機装置１の中央処理モジュール１３は、発呼の対象となったＰＨＳ端末装置Ａ１がデータ通信中である接続先のサーバ装置Ｂ１に対して「着信通知要求」を表す電文信号を送信する。ここで、「着信通知要求」には、例えば、発呼元となるＰＨＳ端末装置Ａ２の識別情報“７００１”及び発呼先（着信先）となるＰＨＳ端末装置Ａ１の識別情報“７０００”が含まれる。
【００６４】
（３）サーバ装置Ｂ１は、交換機装置１から「着信通知要求」を表す電文信号を受け取ると、データ通信中であるＰＨＳ端末装置Ａ１から次に送信される「表示データ取得要求」を表す電文信号に対して、本来の「表示データ」（同図の例では、「表示データ２」）を送信せずに、割り込みの「表示データ（割込）」を送信する。ここで、割り込みの「表示データ（割込）」としては、例えば、「“７００１”から着信がありました」という文面を表す画面データが用いられる。
【００６５】
（４）ＰＨＳ端末装置Ａ１は、サーバ装置Ｂ１から割り込みの「表示データ（割込）」を受信すると、受信した「表示データ（割込）」を画面に表示させる。そして、ＰＨＳ端末装置Ａ１は、割り込みの表示データに対してユーザから了解する旨（ＯＫ）を表す所定の操作を受け付けると、その旨を表す「操作データ」をサーバ装置Ｂ１に対して送信する。
【００６６】
（５）サーバ装置Ｂ１は、ＰＨＳ端末装置Ａ１から割り込みの着信通知を了解する旨の「操作データ」を表す電文信号を受信すると、「操作データ受信成功（ＯＫ）」を表す電文信号を当該ＰＨＳ端末装置Ａ１に対して送信し、次の送信では、割り込みが無ければ送信することとなっていた「表示データ」（同図の例では、「表示データ２」）を当該ＰＨＳ端末装置Ａ１に対して送信するようにする。
【００６７】
ここで、同図の例では、サーバ装置Ｂ１は、次回の「表示データ取得要求」がＰＨＳ端末装置Ａ１から送信されたことに応じて、割り込みのために保留していた「表示データ２」を当該ＰＨＳ端末装置Ａ１に対して送信する。また、他の構成例として、サーバ装置Ｂ１がＰＨＳ端末装置Ａ１から割り込みの着信通知を了解する旨の「操作データ」を表す電文信号を受信したことに応じて割り込みのために保留していた「表示データ２」を当該ＰＨＳ端末装置Ａ１に対して送信するような構成を用いることも可能である。
（６）以降においては、ＰＨＳ端末装置Ａ１とサーバ装置Ｂ１との間で、通常のデータ通信動作を継続して行う。
【００６８】
以上のように、本例の通信システムでは、データ通信可能な電話端末において、データ通信中に着信があった場合には、通話中として処理するのではなく、サーバ側から当該電話端末に対して着信があった旨を示すメールを送付することにより、データ通信中の当該電話端末のユーザに着信を通知する。本例では、このような着信通知を、電話端末側だけではなく、サーバを含むシステム全体で実現する。
【００６９】
具体的には、本例の通信システムでは、音声通信及びデータ通信を行う移動端末Ａ１、Ａ２と、交換機１と、サーバＢ１、Ｂ２を備えた構成において、次のような処理を行う。
すなわち、移動端末Ａ１、Ａ２がデータ通信中であるときに当該移動端末Ａ１、Ａ２に音声通信の着信があった場合には、当該データ通信を継続することとする。この場合、交換機１は、その旨（移動端末Ａ１、Ａ２がデータ通信中であるときに当該移動端末Ａ１、Ａ２に音声通信の着信があった旨）をサーバＢ１、Ｂ２に通知する。また、サーバＢ１、Ｂ２は、当該通知を受けると、次に当該移動端末Ａ１、Ａ２から表示データの取得要求を受けたときなどに当該移動端末Ａ１、Ａ２へ割り込みで着信通知のための表示データを送信する。そして、当該移動端末Ａ１、Ａ２は、サーバＢ１、Ｂ２から送信される着信通知のための表示データを受信してユーザに対して表示する。その後は、当該割り込みが終了して、通常のデータ通信の処理が行われる。
【００７０】
従って、本例の通信システムでは、例えば、データ通信中に画面情報を取得して動作する移動端末Ａ１、Ａ２を用いて音声通信及びデータ通信を併用させるシステムを構築するような場合に、データ通信中である移動端末Ａ１、Ａ２に音声着信を知らせる機能を実現することができ、これにより、データ通信中である移動端末Ａ１、Ａ２のユーザは自身に着信があったことを知ることができる。
【００７１】
また、例えば、社内の内線として使用されるＰＨＳ端末装置や社内のサーバを想定した場合には、表示データを用途に応じてカスタマイズすることができる。一例として、上記図４の例では「“７００１”から着信がありました」という表示データを用いたが、サーバが「内線番号」と「氏名」とを対応付ける「名簿」情報を格納するデータベースを備えることにより、「ＸＸさん（発信者名）から着信がありました」などという表示データを用いて表示を行うことも可能である。
【００７２】
また、本例の通信システムでは、例えば従来と比較して、本発明に係る機能をサーバへ組み込むことが容易である。本例では、例えば、着信通知画面をサーバ側で用意して、割り込み時には、サーバから移動端末へ本来送信する予定である表示画面を一時的に退避して、割り込みの形式で着信通知画面をサーバから移動端末へ送信するといった具体例を示しており、実現性が高く、容易に実現が可能である。
【００７３】
なお、本例の通信システムでは、ＰＨＳ端末装置Ａ１、Ａ２により端末装置が構成されており、交換機装置１により中継装置が構成されており、サーバ装置Ｂ１、Ｂ２によりデータ通信装置が構成されている。
また、本例の交換機装置１では、データ通信中のＰＨＳ端末装置Ａ１、Ａ２に音声着信があった旨をサーバ装置Ｂ１、Ｂ２へ通知する機能により、データ通信中音声通信着信通知手段が構成されている。
【００７４】
また、本例のサーバ装置Ｂ１、Ｂ２では、交換機装置１からの通知に応じて、データ通信中のＰＨＳ端末装置Ａ１、Ａ２に対して割り込みで着信を通知するためのデータを送信する機能により、着信通知データ割り込み送信手段が構成されている。
また、本例のＰＨＳ端末装置Ａ１、Ａ２では、サーバ装置Ｂ１、Ｂ２からの割り込みでの着信通知に応じて、その旨をユーザに対して報知する機能により、割り込み着信通知手段が構成されている。
【００７５】
次に、本発明の第２実施例に係る通信システムを説明する。
本例の通信システムでは、データ通信中のＰＨＳ端末装置Ａ１、Ａ２への着信があった場合に、特殊強制切断により当該データ通信を中止させて、当該着信に係る通信を当該ＰＨＳ端末装置Ａ１、Ａ２により行わせる。
【００７６】
図５には、ＰＨＳ端末装置Ａ１、Ａ２によりバーコード情報を読み取る作業中に、当該ＰＨＳ端末装置Ａ１、Ａ２に電話通信等の割り込みが入った場合における処理のシーケンスの一例を示してある。
ここでは、ＰＨＳ端末装置Ａ１とサーバ装置Ｂ１との間でデータ通信が行われる場合を例として説明する。
また、ＰＨＳ端末装置（ＰＳ１）Ａ１の識別番号が“７０００”であるとし、ＰＨＳ端末装置（ＰＳ２）Ａ２の識別番号が“７００１”であるとする。
【００７７】
また、上記図３を参照して説明した通常時（つまり、割り込みが入らないとき）の処理については詳しい説明を省略し、割り込みに係る処理について詳しく説明する。
（１）サーバ装置Ｂ１との間でデータ通信中であるＰＨＳ端末装置Ａ１に対して他のＰＨＳ端末装置Ａ２から音声着信が発生すると、交換機装置１の中央処理モジュール１３は、当該他のＰＨＳ端末装置Ａ２に対してＲＢＴ（リングバックトーン）を聞かせ、当該ＰＨＳ端末装置Ａ１に対して当該データ通信を強制終話させる。
【００７８】
この際、交換機装置１の中央処理モジュール１３は、データ通信中の着信による回線切断である旨を判別することが可能な情報を、ＰＨＳ端末装置Ａ１に対する回線切断のための電文信号（ＤＩＳＣ）に含めて送信する。本例では、回線切断の理由を通知するための当該情報として、新規な番号“ＸＸ”（ＸＸは、任意の数値）の情報を用いている。
【００７９】
また、交換機装置１の中央処理モジュール１３は、サーバ装置Ｂ１に対して正常な回線切断のための電文信号（ＤＩＳＣ）を送信する。
なお、サーバ装置Ｂ１側については、以降は、通常時における回線切断処理と同様な処理が行われる。
【００８０】
（２）ＰＨＳ端末装置Ａ１は、通常における正常な回線切断時には、回線切断後にローカルＢＴを流すなどして待ち受け状態へ遷移するまでに数秒を要するが、本例のように、回線切断の理由として番号“ＸＸ”の情報が通知される場合には、特殊切断とみなして、即、待ち受け状態に戻って、着信を受けることが可能な状態となる。
【００８１】
（３）また、ＰＨＳ端末装置Ａ１は、交換機装置１に対して回線切断のための電文信号（ＲＥＬ）を送信し、これに応じて、交換機装置１の中央処理モジュール１３は、当該ＰＨＳ端末装置Ａ１に対して回線切断を完了させるための電文信号（ＲＥＬＣＯＭ）を送信する。
【００８２】
（４）そして、交換機装置１の中央処理モジュール１３は、ＰＨＳ端末装置Ａ１の回線切断が完了した後に（本例では、ＲＥＬＣＯＭを送信した後に）、当該ＰＨＳ端末装置Ａ１に対して着信をかける処理（ＳＥＴＵＰ）を行う。
（５）以降においては、ＰＨＳ端末装置Ａ１と交換機装置１との間で、通常の着信による音声通信動作を継続して行う。
【００８３】
以上のように、本例の通信システムでは、データ通信可能な電話端末において、データ通信中に着信があった場合には、例えば通話中として処理するのではなく、データ通信を強制的に切断して、着信に係る音声通信を開始させる。本例では、このようなデータ通信切断及び音声通信開始を、電話端末側だけではなく、サーバを含むシステム全体で実現する。
【００８４】
具体的には、本例の通信システムでは、音声通信及びデータ通信を行う移動端末Ａ１、Ａ２と、交換機１と、サーバＢ１、Ｂ２を備えた構成において、次のような処理を行う。
すなわち、移動端末Ａ１、Ａ２がデータ通信中であるときに当該移動端末Ａ１、Ａ２に音声通信の着信があった場合には、当該データ通信を中止して当該音声通信を開始させることとする。この場合、交換機１は、サーバＢ１、Ｂ２に対して、例えば通常の仕方で、当該移動端末Ａ１、Ａ２とのデータ通信の中止のための処理を行うとともに、当該移動端末Ａ１、Ａ２に対して、例えば特殊切断の仕方で、データ通信の中止のための処理を行う。その後、交換機１は、例えば通常の仕方で、当該移動端末Ａ１、Ａ２への着信に係る音声通信を開始させる。
【００８５】
ここで、当該特殊切断の仕方では、交換機１が、移動端末Ａ１、Ａ２がデータ通信中であるときに当該移動端末Ａ１、Ａ２に音声通信の着信があった場合である旨を示す情報を、当該移動端末Ａ１、Ａ２へ送信し、そして、当該移動端末Ａ１、Ａ２は、当該情報を受信すると、データ通信の切断処理後に即時に（他の処理を行わずに）待ち受け状態へ移行する。
なお、他の構成例として、交換機１が、移動端末Ａ１、Ａ２に対して、例えば通常の仕方で、データ通信の中止のための処理を行うような構成とすることも可能である。
【００８６】
従って、本例の通信システムでは、例えば、データ通信中に画面情報を取得して動作する移動端末Ａ１、Ａ２を用いて音声通信及びデータ通信を併用させるシステムを構築するような場合に、データ通信中である移動端末Ａ１、Ａ２に音声着信を着信させる。
【００８７】
なお、本例の交換機装置１では、データ通信中のＰＨＳ端末装置Ａ１、Ａ２に音声通信の着信があった場合に当該データ通信を中止させる機能によりデータ通信中止手段が構成されており、その後に当該着信に係る音声通信を当該ＰＨＳ端末装置Ａ１、Ａ２に行わせる機能により音声通信制御手段が構成されている。
【００８８】
次に、本発明の第３実施例に係る通信システムを説明する。
上記第１実施例で示した通信システムでは、データ通信中のＰＨＳ端末装置Ａ１、Ａ２へ着信があった場合には、当該データ通信を継続させたまま、当該着信の通知を当該ＰＨＳ端末装置Ａ１、Ａ２によりユーザに対して行う。このような処理では、例えば、発信者番号通知が為されていると、着信先となったＰＨＳ端末装置Ａ１、Ａ２のユーザは、データ通信が終了した後に、発呼元となった者に対して電話をかけることなどが可能である。
【００８９】
上記第２実施例で示した通信システムでは、データ通信中のＰＨＳ端末装置Ａ１、Ａ２へ着信があった場合には、当該データ通信を中止させて、当該着信に係る音声通信を当該ＰＨＳ端末装置Ａ１、Ａ２により行わせる。このような処理では、例えば、発信者番号通知が為されていなくとも、着信先となったＰＨＳ端末装置Ａ１、Ａ２のユーザは、発呼元となった者と電話で通話することなどができる。
【００９０】
そこで、本例の通信システムでは、例えば、データ通信中のＰＨＳ端末装置Ａ１に対して他のＰＨＳ端末装置Ａ２からの音声通信の着信があった場合には、交換機装置１は、当該他のＰＨＳ端末装置Ａ２から発信者番号通知が為されているか否かを判定し、当該判定結果に基づいて、実行する処理を切り替える。具体的には、このような場合に、当該他のＰＨＳ端末装置Ａ２からの発信者番号通知があるときには、例えば上記図４に示したようにＰＨＳ端末装置Ａ１へ着信通知を行って当該他のＰＨＳ端末装置Ａ２の電話番号等の情報を当該ＰＨＳ端末装置Ａ１へ通知する。一方、このような場合に、当該他のＰＨＳ端末装置Ａ２からの発信者番号通知が無い（非通知である）ときには、例えば上記図５に示したように当該ＰＨＳ端末装置Ａ１のデータ通信を強制的に中止させて、当該ＰＨＳ端末装置Ａ１と当該他のＰＨＳ端末装置Ａ２との音声通信を開始させる。
【００９１】
ここで、本発明に係る通信システムや端末装置や中継装置やデータ通信装置などの構成としては、必ずしも以上に示したものに限られず、種々な構成が用いられてもよい。なお、本発明は、例えば、データ通信方式やデータ通信中における着信方式などのように本発明に係る処理を実行する方法或いは方式や、このような方法や方式を実現するためのプログラムや当該プログラムを記録した記録媒体などとして提供することも可能であり、また、交換機システムなどのように種々な装置やシステムとして提供することも可能である。
また、本発明の適用分野としては、必ずしも以上に示したものに限られず、本発明は、種々な分野に適用することが可能なものである。
【００９２】
また、本発明に係る通信システムや端末装置や中継装置やデータ通信装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【００９３】
【発明の効果】
以上説明したように、本発明に係る通信システムによると、音声通信を行う機能及びデータ通信を行う機能を備えた端末装置と、音声通信及びデータ通信を中継する中継装置と、端末装置との間で中継装置を介してデータ通信を行うデータ通信装置とを有する構成において、中継装置では端末装置がデータ通信中であるときに当該端末装置に音声通信の着信があった場合にはその旨をデータ通信装置に対して通知し、データ通信装置では中継装置から当該通知を受けた場合には端末装置との間で行っているデータ通信において当該端末装置に対する後続するデータ送信に割り込みを発生させて当該端末装置に対して着信を通知するためのデータを送信し、端末装置ではデータ通信装置から受信される着信を通知するための当該データに基づく着信通知をユーザに対して行うようにしたため、端末装置がデータ通信中であるときに当該端末装置に音声通信の着信があった場合にその旨を当該端末装置のユーザに通知することを、効率的に実現することができる。
【００９４】
また、本発明に係る通信システムによると、音声通信を行う機能及びデータ通信を行う機能を備えた端末装置と、音声通信及びデータ通信を中継する中継装置と、端末装置との間で中継装置を介してデータ通信を行うデータ通信装置とを有する構成において、中継装置では端末装置がデータ通信中であるときに当該端末装置に音声通信の着信があった場合には当該端末装置とデータ通信装置との間で行われているデータ通信を中止させ、端末装置によるデータ通信が中止させられた後に、当該端末装置により着信に係る音声通信を行わせるようにしたため、端末装置がデータ通信中であるときに当該端末装置に音声通信の着信があった場合に当該データ通信を中止させて当該端末装置により当該着信に係る音声通信を行わせることを、効率的に実現することができる。
【図面の簡単な説明】
【図１】本発明の実施例に係る通信システムの構成例を示す図である。
【図２】通信システムにおけるデータ通信の接続ルートの一例を示す図である。
【図３】データ通信の処理の一例を示す図である。
【図４】本発明の第１実施例に係るデータ通信の処理の一例を示す図である。
【図５】本発明の第２実施例に係るデータ通信の処理の一例を示す図である。
【符号の説明】
Ａ１、Ａ２・・ＰＨＳ端末装置、  Ｂ１、Ｂ２・・サーバ装置、
１・・交換機装置、  ２・・無線基地局アンテナ、  ３・・ハブ、
１１ａ、１１ｂ・・ＢＳ制御インタフェースモジュール、
１２ａ、１２ｂ・・データ通信制御インタフェースモジュール、
１３・・中央処理モジュール、
【図１】
2005057320.tif 000003
【図２】
2005057320.tif 000004
【図３】
2005057320.tif 000005
【図４】
2005057320.tif 000006
【図５】
2005057320.tif 000007